【事件の表示】
　特許第３１６９３５２号「ウエットシート用収納袋」の請求項１ないし６に係る特許に対する特許異議の申立てについて、次のとおり決定する。
【結　論】
　訂正を認める。
　特許第３１６９３５２号の請求項１ないし６に係る特許を取り消す。
【理　由】
 ＜1＞手続の経緯　
　特許第3169352号の請求項1乃至6に係る発明についての出願は、平成10年3月6日に出願され、平成13年3月16日に設定登録（特許公報発行日；平成13年5月21日））され、平成13年10月19日に特許異議申立人株式会社フクヨーより特許異議の申立てがなされ、取消理由通知がなされ、その指定期間内である平成14年3月27日に訂正請求がなされたものである。　　　
　　
＜2＞訂正の適否　
＜2-1＞訂正事項　
　特許権者は、訂正明細書のとおり訂正することを求めており、その内容は、以下の＜訂正Ａ〜Ｃ＞のとおりである。　
＜訂正Ａ＞　
特許請求の範囲（請求項1〜6）の　
「【特許請求の範囲】
【請求項１】　ウエットシート(2) を収納する袋本体(6) と、この袋本体(6) に形成されたウエットシート(2) の取り出し口(5) と、この取り出し口(5) を開閉自在に密閉状に塞ぐ開閉蓋(12)とを備えたウエットシート用収納袋において、天然材料を主たる材料とした主シート材(19)と、この主シート材(19)の内側に形成された合成樹脂製の防水皮膜(20)とを備えた複合シート材(13)により袋本体(6) を構成し、この袋本体(6) の主シート材(19)側に、開閉蓋(12)が粘着剤(11)を介して剥離自在に貼着される合成樹脂製の補強フィルム(10)を設け、袋本体(6) の内側に、天然材料からなり且つ袋本体(6) の取り出し口(5) の周辺を平坦状に保形する保形板(8) と、この保形板(8) を内側から覆う保護フィルム(9) とを設けたことを特徴とするウエットシート用収納袋。
【請求項２】　袋本体(6) の一部を切除して取り出し口(5) を形成したことを特徴とする請求項１に記載のウエットシート用収納袋。
【請求項３】　取り出し口(5) を塞ぐ開閉蓋(12)を、天然材料を使用した主シート材(19)と、この主シート材(19)の内側に形成された防水皮膜(20)とを備えた複合シート材(13)からなるカバーシートにより構成したことを特徴とする請求項１又は２に記載のウエットシート用収納袋。
【請求項４】　主シート材(19)に、天然繊維を主たる材料とした紙、不織布シート材を用いたことを特徴とする請求項１〜３の何れかに記載のウエットシート用収納袋。
【請求項５】　主シート材(19)に、ポリオレフィン系等の溶融樹脂材料をコーティングして防水皮膜(20)を形成したことを特徴とする請求項１〜４の何れかに記載のウエットシート用収納袋。
【請求項６】　主シート材(19)に、ポリオレフィン系等の合成樹脂フィルムを貼着して防水皮膜(20)を形成したことを特徴とする請求項１〜４の何れかに記載のウエットシート用収納袋。」　
を、　
「【特許請求の範囲】
【請求項１】　ウエットシート(2) を収納する袋本体(6) と、この袋本体(6) に形成されたウエットシート(2) の取り出し口(5) と、この取り出し口(5) を開閉自在に密閉状に塞ぐ開閉蓋(12)とを備えたウエットシート用収納袋において、天然材料を主たる材料とした主シート材(19)と、この主シート材(19)の内側に形成された合成樹脂製の防水皮膜(20)とを備えた複合シート材(13)により袋本体(6) を構成し、この袋本体(6) の主シート材(19)側に、開閉蓋(12)が粘着剤(11)を介して剥離自在に貼着される合成樹脂製の補強フィルム(10)を設け、袋本体(6) の内側に、天然材料
の厚紙
、この保護フィルム（９）を保形板（８）の外側で防水皮膜（２０）に固着して保形板（８）を袋本体（６）の内側に固定し、ウエットシート（２）を取り出すときに、後続のウエットシート（２）に抵抗を付与して後続のウエットシート（２）が若干突出するように、保護フィルム（９）の取り出し口（２１）を袋本体（６）の取り出し口（５）及び保形板（８）の開口部（７）よりも小さくした
【請求項２】　袋本体(6) の一部を切除して取り出し口(5) を形成したことを特徴とする請求項１に記載のウエットシート用収納袋。
【請求項３】　取り出し口(5) を塞ぐ開閉蓋(12)を、天然材料を使用した主シート材(19)と、この主シート材(19)の内側に形成された防水皮膜(20)とを備えた複合シート材(13)からなるカバーシートにより構成したことを特徴とする請求項１又は２に記載のウエットシート用収納袋。
【請求項４】　主シート材(19)に、天然繊維を主たる材料とした紙、不織布シート材を用いたことを特徴とする請求項１〜３の何れかに記載のウエットシート用収納袋。
【請求項５】　主シート材(19)に、ポリオレフィン系等の溶融樹脂材料をコーティングして防水皮膜(20)を形成したことを特徴とする請求項１〜４の何れかに記載のウエットシート用収納袋。
【請求項６】　主シート材(19)に、ポリオレフィン系等の合成樹脂フィルムを貼着して防水皮膜(20)を形成したことを特徴とする請求項１〜４の何れかに記載のウエットシート用収納袋。」　
と、訂正する。　
　
＜訂正Ｂ＞　
特許明細書の段落【0005】である　
「【０００５】
 【課題を解決するための手段】
　本発明は、ウエットシート2 を収納する袋本体6 と、この袋本体6 に形成されたウエットシート2 の取り出し口5 と、この取り出し口5 を開閉自在に密閉状に塞ぐ開閉蓋12とを備えたウエットシート用収納袋において、天然材料を主たる材料とした主シート材19と、この主シート材19の内側に形成された合成樹脂製の防水皮膜20とを備えた複合シート材13により袋本体6 を構成し、この袋本体6 の主シート材19側に、開閉蓋12が粘着剤11を介して剥離自在に貼着される合成樹脂製の補強フィルム10を設け、袋本体6 の内側に、天然材料からなり且つ袋本体6 の取り出し口5 の周辺を平坦状に保形する保形板8 と、この保形板8 を内側から覆う保護フィルム9 とを設けたものである。」　
を、　
「【０００５】
 【課題を解決するための手段】
　本発明は、ウエットシート2 を収納する袋本体6 と、この袋本体6 に形成されたウエットシート2 の取り出し口5 と、この取り出し口5 を開閉自在に密閉状に塞ぐ開閉蓋12とを備えたウエットシート用収納袋において、天然材料を主たる材料とした主シート材19と、この主シート材19の内側に形成された合成樹脂製の防水皮膜20とを備えた複合シート材13により袋本体6 を構成し、この袋本体6 の主シート材19側に、開閉蓋12が粘着剤11を介して剥離自在に貼着される合成樹脂製の補強フィルム10を設け、袋本体6 の内側に、天然材料
の厚紙
、この保護フィルム９を保形板８の外側で防水皮膜２０に固着して保形板８を袋本体６の内側に固定し、ウエットシート２を取り出すときに、後続のウエットシート２に抵抗を付与して後続のウエットシート２が若干突出するように、保護フィルム９の取り出しロ２１を袋本体６の取り出しロ５及び保形板８の開ロ部７よりも小さくし
と訂正する。　
＜訂正Ｃ＞　
特許明細書の段落【0030】である　
「【００３０】
  【発明の効果】
　本発明では、ウエットシート2 を収納する袋本体6 と、この袋本体6 に形成されたウエットシート2 の取り出し口5 と、この取り出し口5 を開閉自在に密閉状に塞ぐ開閉蓋12とを備えたウエットシート用収納袋において、天然材料を主たる材料とした主シート材19と、この主シート材19の内側に形成された合成樹脂製の防水皮膜20とを備えた複合シート材13により袋本体6 を構成しているので、使用後は容易に焼却処理又は廃棄処理でき、公害問題を招くことなく安全に使用でき、しかも内部のウエットシート2 の乾燥等を容易且つ確実に防止できる利点がある。
　また袋本体6 の外側に合成樹脂製の補強フィルム10を設けて、この補強フィルム10に粘着剤11を介して開閉蓋12を貼着するようにしているため、開閉蓋12によって袋本体6 の取り出し口5 側を確実に密封してウエットシート2 の乾燥を防止でき、多数回に亘って開閉蓋12を開閉するときにも、その密封性の低下を極力防止できる。
　しかも袋本体6 の内側に、天然材料からなり且つ袋本体6 の取り出し口5 の周辺を平坦状に保形する保形板8 を設けているので、開閉蓋12の開閉時に袋本体6 の取り出し口5 の周辺部分に皺ができ難くなり、開閉蓋12を袋本体6 の取り出し口5 側に確実に貼着できる。
　更に保形板8 に天然材料を使用しているが、この保形板8 を内側から覆うように保護フィルム9 を設けているので、ウエットシート2 の水分による保形板8 の損傷、劣化等を未然に防止できる。
  また袋本体6 の一部を切除して取り出し口5 を形成しているので、従来の口部材と開閉蓋とを一体に成形した合成樹脂製の成形品を使用する場合に比較して、構造が簡単で安価に製作できる。
  取り出し口5 を塞ぐ開閉蓋12を、天然材料を使用した主シート材19と、この主シート材19の内側に形成された防水皮膜20とを備えた複合シート材13からなるカバーシートにより構成しているので、取り出し口5 側の嵩張り等がなく、また使用後は袋本体6 と一緒にカバーシート12を容易に焼却処理又は廃棄処理できる。」　
を、　
「【００３０】
  【発明の効果】
　本発明では、ウエットシート2 を収納する袋本体6 と、この袋本体6 に形成されたウエットシート2 の取り出し口5 と、この取り出し口5 を開閉自在に密閉状に塞ぐ開閉蓋12とを備えたウエットシート用収納袋において、天然材料を主たる材料とした主シート材19と、この主シート材19の内側に形成された合成樹脂製の防水皮膜20とを備えた複合シート材13により袋本体6 を構成しているので、使用後は容易に焼却処理又は廃棄処理でき、公害問題を招くことなく安全に使用でき、しかも内部のウエットシート2 の乾燥等を容易且つ確実に防止できる利点がある。
　また袋本体6 の外側に合成樹脂製の補強フィルム10を設けて、この補強フィルム10に粘着剤11を介して開閉蓋12を貼着するようにしているため、開閉蓋12によって袋本体6 の取り出し口5 側を確実に密封してウエットシート2 の乾燥を防止でき、多数回に亘って開閉蓋12を開閉するときにも、その密封性の低下を極力防止できる。
　しかも袋本体6 の内側に、天然材料
の厚紙
　更に保形板8 に天然材料
の厚紙
、この保護フィルム９を保形板８の外側で防水皮膜２０に固着して保形板８を袋本体６の内側に固定し、ウエットシート２を取り出すときに、後続のウエットシート２に抵抗を付与して後続のウエットシート２が若干突出するように、保護フィルム９の取り出しロ２１を袋本体６の取り出し口５及び保形板８の開口部７よりも小さくして
  また袋本体6 の一部を切除して取り出し口5 を形成しているので、従来の口部材と開閉蓋とを一体に成形した合成樹脂製の成形品を使用する場合に比較して、構造が簡単で安価に製作できる。
  取り出し口5 を塞ぐ開閉蓋12を、天然材料を使用した主シート材19と、この主シート材19の内側に形成された防水皮膜20とを備えた複合シート材13からなるカバーシートにより構成しているので、取り出し口5 側の嵩張り等がなく、また使用後は袋本体6 と一緒にカバーシート12を容易に焼却処理又は廃棄処理できる。」　
と訂正する。　
　
＜2-2＞訂正の目的の適否、新規事項の有無及び拡張・変更の存否　
　上記＜訂正Ａ＞は、特許明細書の段落【0011】及び【0012】の記載に基づいて、特許請求の範囲の請求項１における「天然材料からなり」を「天然材料の厚紙からなり」と訂正し、「設けた」を「設け、この保護フィルム（９）を保形板（８）の外側で防水皮膜（２０）に固着して保形板（８）を袋本体（６）の内側に固定し、ウエットシート（２）を取り出すときに、後続のウエットシート（２）に抵抗を付与して後続のウエットシート（２）が若干突出するように、保護フィルム（９）の取り出し口（２１）を袋本体（６）の取り出し口（５）及び保形板（８）の開口部（７）よりも小さくした」と訂正するものであり、特許請求の範囲の減縮を目的とした訂正に該当し、新規事項の追加に該当せず、実質上特許請求の範囲を拡張し、又は変更するものではない。　
　上記＜訂正Ｂ＞及び＜訂正Ｃ＞は、訂正した特許請求の範囲の記載と整合させるために、明細書の段落【0005】と【0030】の記載を訂正するものであるから、明瞭でない記載の釈明を目的とした訂正に該当し、新規事項の追加に該当せず、実質上特許請求の範囲を拡張し、又は変更するものではない。　　
＜2-3＞むすび　
　以上のとおりであるから、上記訂正Ａ乃至Ｃは、特許法第120条の4第2項及び第3項で準用する特許法第126条第2-3項の規定に適合するので、当該訂正を認める。　
　
　
＜3＞取消理由についての判断　
＜3-1＞訂正明細書の請求項1乃至6に係る発明　
　訂正明細書の請求項1乃至6に係る発明は、訂正請求書に添付された訂正明細書の請求項1乃至6に記載の次のとおりのものである（図面上の番号は省略した）。　
「【請求項１】
ウエットシートを収納する袋本体と、この袋本体に形成されたウエットシートの取り出し口と、この取り出し口を開閉自在に密閉状に塞ぐ開閉蓋とを備えたウエットシート用収納袋において、天然材料を主たる材料とした主シート材と、この主シート材の内側に形成された合成樹脂製の防水皮膜とを備えた複合シート材により袋本体を構成し、この袋本体の主シート材側に、開閉蓋が粘着剤を介して剥離自在に貼着される合成樹脂製の補強フィルムを設け、袋本体の内側に、天然材料の
厚紙
【請求項２】
袋本体の一部を切除して取り出し口を形成したことを特徴とする請求項１に記載のウエットシート用収納袋。
【請求項３】
取り出し口を塞ぐ開閉蓋を、天然材料を使用した主シート材と、この主シート材の内側に形成された防水皮膜とを備えた複合シート材からなるカバーシートにより構成したことを特徴とする請求項１又は２に記載のウエットシート用収納袋。
【請求項４】
主シート材に、天然繊維を主たる材料とした紙、不織布シート材を用いたことを特徴とする請求項１〜３の何れかに記載のウェットシート用収納袋。
【請求項５】
主シート材に、ボリオレフイン系等の溶融樹脂材料をコーティングして防水皮膜を形成したことを特徴とする請求項１〜４の何れかに記載のウエットシート用収納袋。　
【請求項6】
主シート材に、ポリオレフィン系等の合成樹脂フィルムを貼着して防水皮膜を形成したことを特徴とする請求項1〜4の何れかに記載のウエットシート用収納袋。」　
（以下、「請求項1〜6に係る発明」という）　
　
＜3-2＞引用刊行物　
　当審において通知した取消理由において次の刊行物が引用された。　
　刊行物1：特公平6-45385号公報（甲第1号証）
　刊行物2：実用新案登録第2530521号公報（甲第2号証）
　刊行物3：実願昭55-167340号（実開昭57-88774号公報）のマイクロフィル　　　　　　ム（甲第3号証である実開昭57-88774号公報の全文明細書）
　刊行物4：特開平9-2548号公報（甲第4号証）
　
　上記刊行物1乃至4には次のとおり記載されている。
　
＜刊行物1＞特公平6-45385号公報（甲第1号証）　
ａ：
「1　柔軟な液密性のシート材から形成された封入袋と該封入袋よりも硬い材料からなるトレイ部材とから構成され、前記封入袋の内部には液体を含浸させたテイッシュが連続的に引出し可能に折畳まれて収納されており、該封入袋はその頂面に、取出し口または該取出し口を形成するための切離し用切込み、および前記取出し口または取出し口を形成するための切離し用切込みを覆い且つ繰返し開封・密封可能な可撓性の開閉蓋を有しており、前記トレイ部材は前記封入袋の頂面とウエットテイッシュとの間において封入袋の内部に収納され、前記トレイ部材は凹部を有しており、該凹部の底面にウエットテイッシュを把持する開孔が設けられており、該トレイ部材が封入袋の頂面に固着されていることを特徴とするウエットテイッシュ包装体。」（補1頁　手続補正書　1「特許請求の範囲」の項の補正箇所の1）　
ｂ：　
「袋体本体11を構成する柔軟なシートとしては、ポリエチレン、ポリプロピレン、ポリエステル、ポリアミド、ポリ塩化ビニル等の合成樹脂シートの単材かまたは複合材、あるいは、これら合成樹脂シートとアルミフオイル、紙等とを張合わせた複合シートを用いればよい。」（第6欄第41〜45行））　
ｃ：　
「第1および第3図に示したように・・・トレイ部材2の底面24に設けられた開口25は、開口25内に突出した突出部24ａにより狭められた箇所25ａと指先が入る程度の大きさの穴部分25ｂとを有している（第3図）。　
・・・・・・・・・
前記狭められた箇所25ａにより、使用するウエットテイッシュに随伴して連続的に引出された次のウエットテイッシュ3がそれ以上引き出されることが防止され、そこで把持される。　
・・・・・・・・・・・
前述のように、トレイ部材2は開口25を設けた凹部22を有し、そして封入袋1よりもやや硬い材料から作られる。トレイ部材2材料としては、合成樹脂（シート状、発泡体状等）、比較的薄い金属板、または液体が染み込まないように合成樹脂をコーテイングした紙、紙とフィルムまたはアルミフオイルとをラミネートしたもの等を用いればよい。」（第8欄第4〜41行）　
ｄ：
第3図において、封入袋1の頂面において、封入袋の一部を切除して長方形の取り出し口（12）を形成され、該取り出し口を覆うカバーシート状の開閉蓋が設けられている。
そして、封入袋の一番内側でウエットテイッシュに面するトレイ部材の開口25，25ａは、それより外側の封入袋1の長方形の取り出し口12よりも小さい。　
　
＜刊行物2＞実用新案登録第2530521号公報（甲第2号証）
ｅ：　
「【実用新案登録請求の範囲】【請求項１】　折畳まれて重合する湿式シート材を収納する比較的軟質な合成樹脂材料製の容器本体の上面部に、前記湿式シート材を一枚ずつ取出す取出口を設けると共に、該取出口の周縁の前記上面部の上面に比較的硬質な合成樹脂製の補強部分を設け、更に、該補強部分に圧着されて前記取出口を密閉する蓋材を剥離可能に設けてなる包装容器。」
ｆ：
「【００１７】そして、図１、図２で示した実施例では、上面部２の取出口５周縁部に比較的硬質な合成樹脂材料製の補強部分１０を貼着する。この補強部分１０は、例えば１００ミクロン程度の厚さのポリプロピレン等によるシートフィルムであって、上述した如く蓋材８の貼着片７の周端部に於ける粘着層９を押圧して取出口５の周縁に圧着する際に、上面部２の変形や皺の寄りを防止し、取出口５を蓋材８によって確実に密閉できるようにする。」
　
＜刊行物3＞実願昭55-167340号（実開昭57-88774号公報）のマイクロフィルム（甲第3号証である実開昭57-88774号公報の全文明細書）　
ｇ：　
「本考案は、化粧用又は雑貨用のいわゆるテイッシュペーパー等の払拭紙の包装体に関するもので、特に払拭紙に洗浄液又は洗顔液を含浸させたいわゆるウエットタイプのテイッシュペーパーの包装に適する払拭紙包装体に関する。」（第3頁第2〜6行）　
ｈ：　
「第1図から第4図は、本考案の第1実施例を示す。　
　（1）は、1枚づつ取り出し可能なように、例えば、Ｚ字状に折り重ねた多数の払拭紙（1ａ）には洗浄液が含浸されている。　
・・・・・・・この包装材（2）の両端部が束体（1）の上方において互いに重なり合うようにして、包装材（2）をもって束体（1）を巻装してある。　
　包装材（2）の重合部の内側重合片（2ａ）の外面全体には、接着剤（3）が付着され、内側重合片（2ａ）と外側重合片（2ｂ）とを、互いに剥離可能な程度に接着してある。
　また、包装材（2）の内側重合片（2ａ）のほぼ中央には、払拭紙取り出し用の開口（4）と、この開口（4）を閉塞するための閉塞材（5）とを区画する楕円状の切断線（6）が付設されている。　
　包装材（2）の外側重合片（2ｂ）には、その遊端から該遊端と直交する方向に延びる2本の平行な切断線（7）が、開口（4）の長軸方向の長さより若干大寸の間隔をもって付設されており、この切断線（７）により、一側縁が外側重合片（2ｂ）と一体となった蓋材（8）が区画形成されている。蓋材（8）の遊端中央には耳片（9）が連設され、この耳片（9）をつまんで蓋材（8）をその遊端部より内側重合片（2ａ）から剥離することができる。
・・・・・・・・・
　包装材（2）の両側部は、中央に払拭紙（1ａ）の束体（1）を挟んで3つ折り状にした状態で、加熱融着又はその他の接着手段により封着（10）されている。」　
（出願当初明細書　第3頁第18行〜第6頁第8行）　
　
＜刊行物4＞特開平9-2548号公報（甲第4号証）
ｉ：
「【特許請求の範囲】【請求項１】　保形性を有する容器体（１）内にウエットティッシュ（７）の積層体（８）を直接収納し、前記容器体（１）の上面部（２）に形成したウエットティッシュの取出口（１３）から該ウエットティッシュ（７）を１枚づつ取出せるようにしたウエットティッシュ包装体であって、前記容器体（１）は、防水処理を施した紙箱で且つ前記取出口（１３）を除いて密閉構造に形成し、さらに前記取出口（１３）の口縁部端面（１４）に、その全周に亘って防水剤（１５）を塗布するとともに、前記容器体（１）の上面部（２）に前記取出口（１３）を開閉する紙製の蓋板（６）を設けたことを特徴とするウエットティッシュ包装体。」
ｊ：
「【０００１】【産業上の利用分野】本願発明は、ウエットティッシュの積層体を容器体内に収納して、該容器体内のウエットティッシュを上面部の取出口から順次１枚づつ取出し得るようにしたウエットティッシュ包装体に関するものである。」
ｋ：
「【００３３】この容器体１は、適宜の防水処理が施されている。この防水処理方法は、紙箱の内面全体及び蓋板６の下面（少なくとも後述する凹入部１１に対応する面積部分）に、アルミ箔をコーティングするか又は防水性を有するフイルムをラミネートしてもよく、あるいは容器体１全体に防水剤（例えば、ろう材）を含浸させてもよい。これらの防水処理は、平面状の原紙状態で行うか、もしくは図６に示す展開状態で行うとよい。」　
　
＜3-3＞対比・判断　
＜3-3-Ａ＞請求項1に係る発明について
　刊行物1記載の発明を本件請求項1に係る発明と対比すると、刊行物1記載の発明の「封入袋1」または「袋状本体11」、「トレイ部材2」「ウエットテイッシュ包装体」は、本件請求項1に係る発明の「袋本体」「保形板」「ウエットシート用収納袋」に相当するということができるから、
両者は、
「ウエットシートを収納する袋本体と、この袋本体に形成されたウエットシートの取り出し口と、この取り出し口を開閉自在に密閉状に塞ぐ開閉蓋とを備えたウエットシート用収納袋において、シート材と、合成樹脂製材とを備えた複合シート材により袋本体を構成し、この袋本体の外面材側に、開閉蓋が粘着剤を介して剥離自在に貼着され、袋本体の内側に、袋本体の取り出し口の周辺を平坦状に保形する保形板を設けたことを特徴とするウエットシート用収納袋」、
で一致するが、次の三点で相違する。
　
＜相違点1＞
袋本体を構成する「複合シート材」が、
本件請求項1に係る発明においては「天然材料を主たる材料とした主シート材と、この主シート材の内側に形成された合成樹脂製の防水皮膜とを備え」、且つ、外面材が「主シート材」であるのに対して、
刊行物1記載の発明においては、「合成樹脂シート」と「紙等とを張合わせた複合シート」（記載ｂ）ではあるが、「紙」が「天然材料を主たる材料とした」ものであるとも、いづれが主シートであるとも、内外層がいづれであるとも、明記されていない。
＜相違点2＞
この袋本体の外面材側の、開閉蓋が粘着剤を介して剥離自在に貼着される部分に、本件請求項1に係る発明においては、「合成樹脂製の補強フィルム」を設けてあり、外面材が「主シート」（相違点1において検討）であるのに対して、刊行物1記載の発明は、そのような構成ではない（「補強フィルム」自体がない）。
＜相違点3＞　
　本件請求項1に係る発明においては保形板が「天然材料の厚紙」からなり、「保形板を内側から覆う保護フィルムとを設け、この保護フィルムを保形板の外側で防水皮膜に固着して保形板を袋本体の内側に固定し、ウエットシートを取り出すときに、後続のウエットシートに抵抗を付与して後続のウエットシートが若干突出するように、保護フィルムの取り出し口を袋本体の取り出し口及び保形板の開口部よりも小さくした」構成であるのに対して、　
刊行物1に記載された発明においては、トレイ部材（保形板に相当）は、「液体が染み込まないように・・・紙とフィルムをラミネートしたもの」（記載ｃ）からなり、封入袋の頂面（袋本体の内側に相当）に固着され、その底面には次のウエットテイッシュが随伴して連続的に引き出されることを防止するための開口（機能的に保護フィルムの取出口に相当）が設けられている構成（記載ｃ、ｄ）である。
　
　上記相違点について次に検討する。　
＜相違点1について＞　
　刊行物4には、例えば、ウエットシートを収納する「紙箱の内面全体」に「防水性を有するフィルムをラミネート」する（記載ｋ）と記載されてあり、また、「天然材料を主たる材料とした」紙は、本出願前一般によく知られたものである。　
　刊行物4に記載された上記事項からも理解できるように、ウエットテイッシユを収納する袋本体の主シートを紙にした場合には、内面に防水性を有するフィルムをラミネートする必要があることは、当業者であれば自明の事項に過ぎないものであるから、袋本体の複合シートを構成する主シートに天然材料の紙を使用する場合に、内面に防水性のフィルムを張り合わせたラミネート材とすることは、当業者であれば当然に採用することができる程度の事項に過ぎないものである。　
＜相違点2について＞　
　刊行物2にも記載されているように、取出口の周縁の上面部に比較的硬質な合成樹脂製の補強部分を設ける（記載ｅ，ｆ）ことは、本出願前に当業者によく知られていた事項であるから、複合シートの外面材側（上記＜相違点1について＞において検討したように主シート側）の、開閉蓋が粘着剤を介して剥離自在に貼着される部分に合成樹脂製の補強フィルムを設けることは当業者であれば適宜採用することができる程度の事項に過ぎないものである。　
＜相違点3について＞　
　刊行物1に記載された発明では、トレイ部材（保形板に相当）を「液体が染み込まないように」紙とフィルムのラミネート材で構成（機能的に本件請求項1に係る発明の天然素材の厚紙と保護フィルムとを一体としたものに相当）して、トレイ部材に底面を設けて該底面に開口を形成したものである。　
　これに対して、本件請求項1に係る発明では保形板を天然材料の厚紙のみで構成して、別途、厚紙を保護するために保護フィルムで内側から覆う構成を採用したに過ぎないものであって、刊行物1に記載された発明のように一体のラミネート材として構成するか、本件請求項1に係る発明のように保形板と保護フィルムの別体で構成するかは当業者であれば適宜採用することができる程度の事項に過ぎないものであり、その際、厚紙を保護フィルムで内側から覆うために、保護フィルムを保形板の外側で防水皮膜に固着したことは、当業者であれば自明の事項に過ぎないものである。
　そして、本件請求項1に係る発明のように保護フィルムで厚紙を内側から覆った場合（別体とした場合）には、刊行物1に記載された発明のトレイ底面に形成した開口に機能的に相当する開口を保護フィルムに形成する必要があることも、当業者であれば自明の事項に過ぎないものである。
　したがって、刊行物1、2、4記載の発明から本件請求項1に係る発明を構成することは、当業者が容易に想到しうるものであるということができる。
　
＜3-3-Ｂ＞請求項2に係る発明について　　
　刊行物1記載の発明において、封入袋の頂面において、封入袋の一部を切除して長方形の取り出し口が形成されている（記載ｄ、第3図）から、本件請求項2に係る発明の特徴部分の「袋本体の一部を切除して取り出し口を形成した」点は、刊行物1に記載されているということができる。
　したがって、刊行物1、2、4記載の発明から本件請求項2に係る発明を構成することは、格別困難なことではなく、当業者が容易に想到し得ることである。　
　
＜3-3-Ｃ＞請求項3に係る発明について　
　請求項3に係る発明の特徴部分は「取り出し口を塞ぐ開閉蓋を、天然材料を使用した主シート材と、この主シート材の内側に形成された防水皮膜とを備えた複合シート材からなるカバーシートにより構成した」点である。　
　ところで、刊行物3には、「包装材（2）の外側重合片（2ｂ）には・・・2本の平行な切断線（7）が・・・付設されており、この切断線（７）により・・・蓋材（8）が区画形成されている。」（記載ｈ）とあり、取り出し口を塞ぐ蓋材（開閉蓋）を、包装材（袋本体）と同じ材料で形成した点が記載されている。　
　一方、袋本体が「天然材料を使用した主シート材と、この主シート材の内側に形成された防水皮膜とを備えた複合シート材」については上記＜３−３−Ａ＞の＜相違点1について＞において検討したとおりであり、また、「取り出し口を塞ぐ開閉蓋」を「カバーシートにより構成した」点は刊行物1に記載（記載ａ，ｄ）されている。　
　そうしてみると、刊行物1記載の発明の「取り出し口を塞ぐ開閉蓋」を「カバーシートにより構成した」ものを、刊行物3記載の発明のように袋本体と同じ材料にして、具体的には、刊行物4記載の発明のように内側に防水性フィルムをラミネートして「天然材料を使用した主シート材と、この主シート材の内側に形成された防水皮膜とを備えた複合シート材」にして、上記請求項3に係る発明の特徴部分の構成にすることは、格別困難なこともなく、当業者が容易になし得るものであるということができる。
　したがって、刊行物1乃至4記載の発明から請求項3に係る発明を構成したことは、当業者が容易に想到し得ることである。
　
＜3-3-Ｄ＞請求項4に係る発明について　
　本件請求項4に係る発明の特徴部分は「主シート材に、天然繊維を主たる材料とした紙、不織布シート材を用いた」点であるが、「主シート材に、天然繊維を主たる材料とした紙を用いた」点は上記＜3-3-Ａ＞の＜相違点1について＞で検討したとおり、「シート材」として本出願前一般によく知られたものであり、また、「天然材料を主たる材料とした不織布シート」も、上記天然繊維を主たる材料とした紙と同様にシート材として本出願前の当該技術分野において本出願前よく知られたものである。　
　そうしてみると、上記＜相違点1について＞と同様に、刊行物1、4記載の発明から請求項4に係る発明の特徴部分の構成にしたことは格別困難なことではなく、当業者が容易になし得ることである。　
　したがって、刊行物1乃至4記載の発明から請求項4に係る発明を構成することは、当業者が容易に想到し得るものである。　
＜3-3-Ｅ＞請求項5に係る発明について
　本件請求項5に係る発明の特徴部分は「主シート材に、ポリオレフイン系等の溶融樹脂材料をコーティングして防水皮膜を形成した」点であるが、
「主シート材に、合成樹脂材料の防水皮膜を形成した」点は、上記＜３−３−Ａ＞の＜相違点1について＞において検討したとおりであり、
刊行物1記載の発明において、紙と張合わせた複合シートの合成樹脂シートとしてポリエチレンやポリプロピレンのようなポりオレフィン樹脂が用いられ（記載ｂ）、また、上記皮膜形成手段として樹脂を溶融してコーテイングすることは本出願前の当該技術分野において通常用いられている手段である。
　そうしてみると、刊行物1および4記載の発明から複合シート材を形成する際、「主シート材にポリオレフィン系の溶融材料をコーテイングして防水皮膜を形成し」て請求項5に係る発明の上記特徴部分を構成したことは、格別困難なことはなく当業者が容易になし得ることである。　
　したがって、刊行物1乃至4記載の発明から請求項5に係る発明を構成したことは、当業者が容易に想到し得るものであるということができる。　
　
＜3-3-Ｆ＞請求項6に係る発明について　
　請求項6に係る発明の特徴部分は「主シート材に、ポリオレフィン系等の合成樹脂フィルムを貼着して防水皮膜を形成した」点であり、上記請求項5に係る発明の特徴部分と比べコーテイングする代わりに「貼着」し、溶融樹脂材料の代わりに「合成樹脂フィルム」を用いたものであるが、合成樹脂をフィルムにして貼着する点は本出願前の当該技術分野において複合シート材を形成する際、普通に用いられている手段である。　
　そうしてみると、上記請求項5に係る発明の特徴部分と同様、刊行物1および4記載の発明から複合シート材を形成する際、「主シート材にポリオレフィン系の合成樹脂フィルムを貼着して防水皮膜を形成し」て請求項6に係る発明の上記特徴部分を構成したことは、格別困難なことはなく当業者が容易になし得ることである。　
　したがって、刊行物1乃至4記載の発明から請求項6に係る発明を構成したことは、当業者が容易に想到し得るものであるということができる。　
　
　
＜4＞むすび　
　以上のとおりであるから、本件訂正後の請求項1乃至6に係る発明は、上記引用した刊行物に記載された発明に基づいて当業者が容易に発明をすることができたものであるから、本件訂正後の請求項1乃至6に係る発明の特許は特許法第29条第2項の規定に違反してなされたものである。　
　したがって、本件訂正後の請求項1乃至6に係る発明についての特許は、特許法第113条第2号に該当し、取り消されるべきものである。　
　よって、結論のとおり決定する。　
【異議決定日】
平成１４年６月１３日（２００２．６．１３）
【訂正の要旨】
訂正の要旨
＜訂正の内容＞
＜訂正Ａ＞　特許請求の範囲の請求項１〜６である
「【特許請求の範囲】
　【請求項１】　ウエットシート（２）を収納する袋本体（６）と、この袋本体（６）に形成されたウエットシート（２）の取り出し口（５）と、この取り出し口（５）を開閉自在に密閉状に塞ぐ開閉蓋（１２）とを備えたウエットシート用収納袋において、天然材料を主たる材料とした主シート材（１９）と、この主シート材（１９）の内側に形成された合成樹脂製の防水皮膜（２０）とを備えた複合シート材（１３）により袋本体（６）を構成し、この袋本体（６）の主シート材（１９）側に、開閉蓋（１２）が粘着剤（１１）を介して剥離自在に貼着される合成樹脂製の補強フィルム（１０）を設け、袋本体（６）の内側に、天然材料からなり且つ袋本体（６）の取り出し口（５）の周辺を平坦状に保形する保形板（８）と、この保形板（８）を内側から覆う保護フィルム（９）とを設けたことを特徴とするウエットシート用収納袋。
　【請求項２】　袋本体（６）の一部を切除して取り出し口（５）を形成したことを特徴とする請求項１に記載のウエットシート用収納袋。
　【請求項３】　取り出し口（５）を塞ぐ開閉蓋（１２）を、天然材料を使用した主シート材（１９）と、この主シート材（１９）の内側に形成された防水皮膜（２０）とを備えた複合シート材（１３）からなるカバーシートにより構成したことを特徴とする請求項１又は２に記載のウエットシート用収納袋。
　【請求項４】　主シート材（１９）に、天然繊維を主たる材料とした紙、不織布シート材を用いたことを特徴とする請求項１〜３の何れかに記載のウエットシート用収納袋。
　【請求項５】　主シート材（１９）に、ポリオレフィン系等の溶融樹脂材料をコーティングして防水皮膜（２０）を形成したことを特徴とする請求項１〜４の何れかに記載のウエットシート用収納袋。
　【請求項６】　主シート材（１９）に、ポリオレフィン系等の合成樹脂フィルムを貼着して防水皮膜（２０）を形成したことを特徴とする請求項１〜４の何れかに記載のウエットシート用収納袋。」
を、特許請求の範囲の減縮を目的として、訂正明細書の特許請求の範囲の記載のとおり、すなわち、次のように訂正する。
「【特許請求の範囲】
　【請求項１】　ウエットシート（２）を収納する袋本体（６）と、この袋本体（６）に形成されたウエットシート（２）の取り出し口（５）と、この取り出し口（５）を開閉自在に密閉状に塞ぐ開閉蓋（１２）とを備えたウエットシート用収納袋において、天然材料を主たる材料とした主シート材（１９）と、この主シート材（１９）の内側に形成された合成樹脂製の防水皮膜（２０）とを備えた複合シート材（１３）により袋本体（６）を構成し、この袋本体（６）の主シート材（１９）側に、開閉蓋（１２）が粘着剤（１１）を介して剥離自在に貼着される合成樹脂製の補強フィルム（１０）を設け、袋本体（６）の内側に、天然材料
の厚紙
、この保護フィルム（９）を保形板（８）の外側で防水皮膜（２０）に固着して保形板（８）を袋本体（６）の内側に固定し、ウエットシート（２）を取り出すときに、後続のウエットシート（２）に抵抗を付与して後続のウエットシート（２）が若干突出するように、保護フィルム（９）の取り出し口（２１）を袋本体（６）の取り出し口（５）及び保形板（８）の開口部（７）よりも小さくした
　【請求項２】　袋本体（６）の一部を切除して取り出し口（５）を形成したことを特徴とする請求項１に記載のウエットシート用収納袋。
　【請求項３】　取り出し口（５）を塞ぐ開閉蓋（１２）を、天然材料を使用した主シート材（１９）と、この主シート材（１９）の内側に形成された防水皮膜（２０）とを備えた複合シート材（１３）からなるカバーシートにより構成したことを特徴とする請求項１又は２に記載のウエットシート用収納袋。
　【請求項４】　主シート材（１９）に、天然繊維を主たる材料とした紙、不織布シート材を用いたことを特徴とする請求項１〜３の何れかに記載のウエットシート用収納袋。
　【請求項５】　主シート材（１９）に、ポリオレフィン系等の溶融樹脂材料をコーティングして防水皮膜（２０）を形成したことを特徴とする請求項１〜４の何れかに記載のウエットシート用収納袋。
　【請求項６】　主シート材（１９）に、ポリオレフィン系等の合成樹脂フィルムを貼着して防水皮膜（２０）を形成したことを特徴とする請求項１〜４の何れかに記載のウエットシート用収納袋。」
　＜訂正Ｂ＞
特許明細書の段落【０００５】である
「【０００５】
　【課題を解決するための手段】
　本発明は、ウエットシート２を収納する袋本体６と、この袋本体６に形成されたウエットシート２の取り出し口５と、この取り出し口５を開閉自在に密閉状に塞ぐ開閉蓋１２とを備えたウエットシート用収納袋において、天然材料を主たる材料とした主シート材１９と、この主シート材１９の内側に形成された合成樹脂製の防水皮膜２０とを備えた複合シート材１３により袋本体６を構成し、この袋本体６の主シート材１９側に、開閉蓋１２が粘着剤１１を介して剥離自在に貼着される合成樹脂製の補強フィルム１０を設け、袋本体６の内側に、天然材料からなり且つ袋本体６の取り出し口５の周辺を平坦状に保形する保形板８と、この保形板８を内側から覆う保護フィルム９とを設けたものである。」
を、特許請求の範囲の減縮に伴う不明瞭な記載の釈明を目的として、訂正明細書の記載のとおり、すなわち、次のように訂正する。
「【０００５】
　【課題を解決するための手段】
　本発明は、ウエットシート２を収納する袋本体６と、この袋本体６に形成されたウエットシート２の取り出し口５と、この取り出し口５を開閉自在に密閉状に塞ぐ開閉蓋１２とを備えたウエットシート用収納袋において、天然材料を主たる材料とした主シート材１９と、この主シート材１９の内側に形成された合成樹脂製の防水皮膜２０とを備えた複合シート材１３により袋本体６を構成し、この袋本体６の主シート材１９側に、開閉蓋１２が粘着剤１１を介して剥離自在に貼着される合成樹脂製の補強フィルム１０を設け、袋本体６の内側に、天然材料
の厚紙
、この保護フィルム９を保形板８の外側で防水皮膜２０に固着して保形板８を袋本体６の内側に固定し、ウエットシート２を取り出すときに、後続のウエットシート２に抵抗を付与して後続のウエットシート２が若干突出するように、保護フィルム９の取り出しロ２１を袋本体６の取り出しロ５及び保形板８の開ロ部７よりも小さくし
と訂正する。
＜訂正Ｃ＞
特許明細書の段落【００３０】である
「【００３０】
　【発明の効果】
　本発明では、ウエットシート２を収納する袋本体６と、この袋本体６に形成されたウエットシート２の取り出し口５と、この取り出し口５を開閉自在に密閉状に塞ぐ開閉蓋１２とを備えたウエットシート用収納袋において、天然材料を主たる材料とした主シート材１９と、この主シート材１９の内側に形成された合成樹脂製の防水皮膜２０とを備えた複合シート材１３により袋本体６を構成しているので、使用後は容易に焼却処理又は廃棄処理でき、公害問題を招くことなく安全に使用でき、しかも内部のウエットシート２の乾燥等を容易且つ確実に防止できる利点がある。
　また袋本体６の外側に合成樹脂製の補強フィルム１０を設けて、この補強フィルム１０に粘着剤１１を介して開閉蓋１２を貼着するようにしているため、開閉蓋１２によって袋本体６の取り出し口５側を確実に密封してウエットシート２の乾燥を防止でき、多数回に亘って開閉蓋１２を開閉するときにも、その密封性の低下を極力防止できる。
　しかも袋本体６の内側に、天然材料からなり且つ袋本体６の取り出し口５の周辺を平坦状に保形する保形板８を設けているので、開閉蓋１２の開閉時に袋本体６の取り出し口５の周辺部分に皺ができ難くなり、開閉蓋１２を袋本体６の取り出し口５側に確実に貼着できる。
　更に保形板８に天然材料を使用しているが、この保形板８を内側から覆うように保護フィルム９を設けているので、ウエットシート２の水分による保形板８の損傷、劣化等を未然に防止できる。
　また袋本体６の一部を切除して取り出し口５を形成しているので、従来の口部材と開閉蓋とを一体に成形した合成樹脂製の成形品を使用する場合に比較して、構造が簡単で安価に製作できる。
　取り出し口５を塞ぐ開閉蓋１２を、天然材料を使用した主シート材１９と、この主シート材１９の内側に形成された防水皮膜２０とを備えた複合シート材１３からなるカバーシートにより構成しているので、取り出し口５側の嵩張り等がなく、また使用後は袋本体６と一緒にカバーシート１２を容易に焼却処理又は廃棄処理できる。」
を、特許請求の範囲の減縮に伴う不明瞭な記載の釈明を目的として、訂正明細書の記載のとおり、すなわち、次のように訂正する。
「【００３０】
　【発明の効果】
　本発明では、ウエットシート２を収納する袋本体６と、この袋本体６に形成されたウエットシート２の取り出し口５と、この取り出し口５を開閉自在に密閉状に塞ぐ開閉蓋１２とを備えたウエットシート用収納袋において、天然材料を主たる材料とした主シート材１９と、この主シート材１９の内側に形成された合成樹脂製の防水皮膜２０とを備えた複合シート材１３により袋本体６を構成しているので、使用後は容易に焼却処理又は廃棄処理でき、公害問題を招くことなく安全に使用でき、しかも内部のウエットシート２の乾燥等を容易且つ確実に防止できる利点がある。
　また袋本体６の外側に合成樹脂製の補強フィルム１０を設けて、この補強フィルム１０に粘着剤１１を介して開閉蓋１２を貼着するようにしているため、開閉蓋１２によって袋本体６の取り出し口５側を確実に密封してウエットシート２の乾燥を防止でき、多数回に亘って開閉蓋１２を開閉するときにも、その密封性の低下を極力防止できる。
　しかも袋本体６の内側に、天然材料
の厚紙
　更に保形板８に天然材料
の厚紙
、この保護フィルム９を保形板８の外側で防水皮膜２０に固着して保形板８を袋本体６の内側に固定し、ウエットシート２を取り出すときに、後続のウエットシート２に抵抗を付与して後続のウエットシート２が若干突出するように、保護フィルム９の取り出しロ２１を袋本体６の取り出し口５及び保形板８の開口部７よりも小さくして
　また袋本体６の一部を切除して取り出し口５を形成しているので、従来の口部材と開閉蓋とを一体に成形した合成樹脂製の成形品を使用する場合に比較して、構造が簡単で安価に製作できる。
　取り出し口５を塞ぐ開閉蓋１２を、天然材料を使用した主シート材１９と、この主シート材１９の内側に形成された防水皮膜２０とを備えた複合シート材１３からなるカバーシートにより構成しているので、取り出し口５側の嵩張り等がなく、また使用後は袋本体６と一緒にカバーシート１２を容易に焼却処理又は廃棄処理できる。」
（５４）【発明の名称】
ウエットシート用収納袋
（５７）【特許請求の範囲】
　【請求項１】　ウエットシート（２）を収納する袋本体（６）と、この袋本体（６）に形成されたウエットシート（２）の取り出し口（５）と、この取り出し口（５）を開閉自在に密閉状に塞ぐ開閉蓋（１２）とを備えたウエットシート用収納袋において、天然材料を主たる材料とした主シート材（１９）と、この主シート材（１９）の内側に形成された合成樹脂製の防水皮膜（２０）とを備えた複合シート材（１３）により袋本体（６）を構成し、この袋本体（６）の主シート材（１９）側に、開閉蓋（１２）が粘着剤（１１）を介して剥離自在に貼着される合成樹脂製の補強フィルム（１０）を設け、袋本体（６）の内側に、天然材料
の厚紙
、この保護フィルム（９）を保形板（８）の外側で防水皮膜（２０）に固着して保形板（８）を袋本体（６）の内側に固定し、ウエットシート（２）を取り出すときに、後続のウエットシート（２）に抵抗を付与して後続のウエットシート（２）が若干突出するように保護フィルム（９）の取り出し口（１１）を袋本体（６）の取り出し口（５）及び保形板（８）の開口部（７）よりも小さくし
　【請求項２】　袋本体（６）の一部を切除して取り出し口（５）を形成したことを特徴とする請求項１に記載のウエットシート用収納袋。
　【請求項３】　取り出し口（５）を塞ぐ開閉蓋（１２）を、天然材料を使用した主シート材（１９）と、この主シート材（１９）の内側に形成された防水皮膜（２０）とを備えた複合シート材（１３）からなるカバーシートにより構成したことを特徴とする請求項１又は２に記載のウエットシート用収納袋。
　【請求項４】　主シート材（１９）に、天然繊維を主たる材料とした紙、不織布シート材を用いたことを特徴とする請求項１〜３の何れかに記載のウエットシート用収納袋。
　【請求項５】　主シート材（１９）に、ポリオレフィン系等の溶融樹脂材料をコーティングして防水皮膜（２０）を形成したことを特徴とする請求項１〜４の何れかに記載のウエットシート用収納袋。
　【請求項６】　主シート材（１９）に、ポリオレフィン系等の合成樹脂フィルムを貼着して防水皮膜（２０）を形成したことを特徴とする請求項１〜４の何れかに記載のウエットシート用収納袋。
【発明の詳細な説明】
　【０００１】
　【発明の属する技術分野】
　本発明は、ウエットタオル等のウエットシートを収納するウエットシート用収納袋に関するものである。
　【０００２】
　【従来の技術】
　ウエットシート用収納袋には、洗浄液や薬液等を含浸させたウエットシートの積層体を収納する袋本体と、袋本体に形成されたウエットシートの取り出し口と、取り出し口を開閉自在に密閉状に塞ぐカバーシートとを備えたものがある。
　この種のウエットシート用収納袋は、従来、ポリエチレン、ポリプロピレン、ポリエステル等の合成樹脂シートの単体或いは複合材、又は合成樹脂シートとアルミ箔との複合材等を主シート材として用い、この主シート材により袋本体を構成している。
　【０００３】
　【発明が解決しようとする課題】
　従来のウエットシート用収納袋は、洗浄液を含浸させたウエットシートの積層体を収納し、カバーシートを繰り返し開閉しても、内部のウエットシートが乾燥しないように、防水性、気密性に優れ、しかも或る程度腰の強い合成樹脂シートの単体或いは複合材、又は合成樹脂シートとアルミ箔との複合材等を主シート材として用い、この主シート材により袋本体及びカバーシートを構成している。
　このため、従来のウエットシート用収納袋では、内部のウエットシートを使用し終えた後の処理が問題となる欠点がある。即ち、従来のウエットシート用収納袋は、袋本体及びカバーシートを含む殆どに、石油化学製品である合成樹脂シートの単体或いは複合材を使用しているため、ウエットシートの使用後に収納袋を焼却処分すれば、有毒ガスを発生する公害問題を招くことになる。また合成樹脂シートとアルミ箔との複合材等を使用した場合には、アルミ箔が不燃性であるため、焼却処分してもアルミ箔が残る問題がある。
　従って、何れにしろ従来のウエットシート用収納袋は、不燃性のゴミとして焼却以外の方法で処理する必要がある。
　【０００４】
　しかし、ウエットシート用収納袋を焼却等を行わずに埋め立て地等に投棄すれば、長期間に亘って劣化し難い石油化学製品であるポリエチレン等の合成樹脂シート、アルミ箔等を使用しているため、埋め立て後の分解、腐食等を全く期待できず、長期間に亘ってそのままの状態を保つことになり、不燃性ゴミによる別の公害問題が発生する。
　このため従来のウエットシート用収納袋では、焼却処理又は投棄処理の如何を問わず、使用後の処理に際して公害問題が発生する欠点がある。
　本発明は、このような従来の課題に鑑み、使用後に容易に焼却処理又は廃棄処理でき、公害問題を招くことなく安全に使用でき、しかも内部のウエットシートの乾燥等を容易且つ確実に防止できるウエットシート用収納袋を提供することを目的とする。
　【０００５】
　【課題を解決するための手段】
　本発明は、ウエットシート２を収納する袋本体６と、この袋本体６に形成されたウエットシート２の取り出し口５と、この取り出し口５を開閉自在に密閉状に塞ぐ開閉蓋１２とを備えたウエットシート用収納袋において、天然材料を主たる材料とした主シート材１９と、この主シート材１９の内側に形成された合成樹脂製の防水皮膜２０とを備えた複合シート材１３により袋本体６を構成し、この袋本体６の主シート材１９側に、開閉蓋１２が粘着剤１１を介して剥離自在に貼着される合成樹脂製の補強フィルム１０を設け、袋本体６の内側に、天然材料
の厚紙
、この保護フィルム９を保形板８の外側で防水皮膜２０に固着して保形板８を袋本体６の内側に固定し、ウエットシート２を取り出すときに、後続のウエットシート２に抵抗を付与して後続のウエットシート２が若干突出するように、保護フィルム９の取り出し口２１を袋本体６の取り出し口５及び保形板８の開口部７よりも小さくし
　【０００６】
　【発明の実施の形態】
　以下、本発明の実施形態を図面に基づいて詳述する。
　図１乃至図８は本発明の第１の実施形態を例示する。
　図１は収納袋の封止状態を示す斜視図、図２及び図３は収納袋の封止状態を示す断面図、図４は要部の拡大断面図である。図５は収納袋の開封状態を示す斜視図、図６は収納袋の開封状態を示す断面図である。図７は収納袋の製袋工程を示す斜視図、図８は製袋工程を示す拡大斜視図である。
　図１乃至図３において、１はウエットタオル等のウエットシート２の積層体であり、この積層体１はジグザグ状に折り畳んだ複数枚のウエットシート２を、全体として略直方体状に積層したものである。各ウエットシート２は、図６に示すように、上下のウエットシート２の端部同士を所定範囲に亘って重ね合わせて、ウエットシート２を取り出すときに前後のウエットシート２の端部同士が連係するように積層されている。
　【０００７】
　３は積層体１を収納するウエットシート２用の収納袋であり、上面部４側にウエットシート２の取り出し口５が形成された袋本体６と、取り出し口５と略同じ大きさの開口部７を有し且つ袋本体６の上面部４の内側に配置された保形板８と、保形板８を内側から覆う保護フィルム９と、袋本体６の上面部４の外側に貼着された補強フィルム１０と、補強フィルム１０の外側に粘着剤１１を介して開閉自在に貼着され且つ袋本体６の取り出し口５を気密状に塞ぐカバーシート１２とを備えている。
　【０００８】
　袋本体６は、積層体１の上側から後側及び下側を経て前側へと積層体１を取り囲むように複合シート材１３を捲回して、その捲回終端部１３ａ側を粘着剤１１を介して捲回始端部１３ｂである上面部４側に貼着すると共に、積層体１の左右両側にガゼット部１４及び圧着部１５を形成しており、その圧着部１５側で袋本体６の両端側が密封状に封止されている。
　この袋本体６の上面部４の略中央に、袋本体６の長手方向に沿って長孔状の取り出し口５が形成されている。なお、取り出し口５は、袋本体６内のウエットシート２を取り出し易い位置にあれば良く、中央部以外の位置に形成しても良いし、長孔状以外の形状であっても良い。
　【０００９】
　カバーシート１２は、複合シート材１３の捲回終端部１３ａ側が捲回始端部１３ｂ上に重合する重合部１６の端縁から袋本体６の前側に向かって一対のミシン目等の破断線１７をＪ字状に入れて、その一対の破断線１７間の複合シート材１３の重合部１６により袋本体６と一体に構成され、粘着剤１１を介して補強フィルム１０上に剥離自在に貼着されている。カバーシート１２の先端側には、このカバーシート１２を剥離するときに指先で摘むように、粘着剤１１を塗布していない摘まみ部１８が設けられている。
　なお、破断線１７は、最初にカバーシート１２を補強フィルム１０から剥離するときに、複合シート材１３が容易に破断する程度のピッチでミシン目を形成しているが、ミシン目以外にハーフカットを用いても良い。
　【００１０】
　複合シート材１３は、収納袋３の使用後に容易に焼却処分又は廃棄処分できるように、図４に示す如く天然材料を使用した主シート材１９と、この主シート材１９の内側に形成された合成樹脂製の薄い防水皮膜２０とを備えている。主シート材１９は、木材パルプ等の天然繊維を主たる材料とした薄手の紙、不織布等により構成されている。
　防水皮膜２０は、主シート材１９に紙等の天然材料が使用されているため、ウエットシート２の水分の主シート材１９側への浸透、或いはウエットシート２の水分の乾燥等を防止するように、主シート材１９の内側を防水するためのものである。そして、この防水皮膜２０は、主シート材１９の一側面に、例えばポリオレフィン系等の溶融合成樹脂材料を押し出しコーティングするか、又は既成のポリオレフィン系フィルム等の合成樹脂フィルムをラミネート等、その他で貼着することにより薄い皮膜状に形成されている。
　なお、この防水皮膜２０は、所定の防水効果を奏する材料であれば良く、その厚さは収納袋３を焼却処分又は廃棄処分する際に問題にならないように極力薄くすることが望ましく、またその材料はポリオレフィン系の合成樹脂材料に限定されるものではない。
　【００１１】
　保形板８は、袋本体６の上面部４側の取り出し口５の周辺部分に皺等ができないように平坦状に保形するためのもので、所定の保形性のある板材により構成されており、その中央部に袋本体６の取り出し口５と同じ大きさの開口部７が形成されている。この保形板８には、収納袋３の使用後に焼却処分又は廃棄処分できるように、木材パルプ等の天然材料から得た木材パルプ等の天然繊維を主たる材料とした厚紙等の板材が使用されている。
　なお、保形板８に厚紙等を使用する場合、その厚さは袋本体６の上面部４側の大きさによっても異なるが、例えば０．５ｍｍから３．０ｍｍ程度の厚さが適当である。
　【００１２】
　保護フィルム９は、保形板８に厚紙等の天然材料が使用されているため、ウエットシート２の水分が保形板８側へ浸透しないように、保形板８を内側から保護して防水するためのものである。この保護フィルム９は、所定の防水性を有する２０μ前後（１０μから５０μ程度）の薄い合成樹脂フィルムにより構成され、保形板８の外側で複合シート材１３の防水皮膜２０側に熱溶着、接着剤による接着、その他の方法で固着されている。そして、保形板８は、保護フィルム９を複合シート材１３の防水皮膜２０側に固着することにより、袋本体６の上面部４の内側に固定されている。
　保護フィルム９には、袋本体６内のウエットシート２を取り出し口５から取り出すときに、後続のウエットシート２に抵抗を付与するように、袋本体６の取り出し口５及び保形板８の開口部７よりも小さい取り出し孔２１が形成されている。取り出し孔２１は、取り出し口５及び開口部７の長手方向に沿って形成された切断線２２と、この切断線２２の長手方向の中央に形成された小孔部２３とにより構成されている。そして、取り出し孔２１は、最初にウエットシート２を取り出すときには、指先で切断線２２の部分を両側に広げて内部のウエットシート２の端縁側を引き出し、またウエットシート２を取り出したときに、後続のウエットシート２の先端部がこの取り出し孔２１から若干出るようになっている。
　【００１３】
　補強フィルム１０は、外側に紙等の主シート材１９を使用した複合シート材１３によって袋本体６を構成しているので、取り出し口５を塞ぐときに袋本体６の取り出し口５側を密封できるように、この補強フィルム１０上にカバーシート１２を粘着剤１１を介して貼着するためのものである。補強フィルム１０は、２０μ前後（１０μから３０μ又は５０μ程度）の薄い合成樹脂フィルムにより構成され、カバーシート１２に対応するように、複合シート材１３の捲回始端部１３ｂ側と捲回終端部１３ａ側との間で袋本体６の上面部４の外側に接着、その他により貼着されている。保護フィルム９は、カバーシート１２の大きさよりも大きくなっており、袋本体６の取り出し口５、保形板８の開口部７に対応する大きさの開口孔２４が形成されている。
　なお、複合シート材１３の捲回終端部１３ａ側の内、カバーシート１２以外の部分は、粘着剤１１を介して補強フィルム１０上に貼着されている。また保護フィルム９と補強フィルム１０には、同じ材質で同じ厚さの合成樹脂フィルムを使用しても良いし、異なる材質で異なる厚さの合成樹脂フィルムを使用しても良い。しかし、収納袋３を焼却処分又は廃棄処分する際を考慮して、保護フィルム９及び補強フィルム１０の機能を損なわない範囲内で、厚さを極力薄くすることが望ましい。
　【００１４】
　ウエットシート２の積層体１を収納しながら収納袋３を製袋する場合には、図７及び図８に示す製造工程で行う。図７において、２５は複合シート材１３の原反ロールで、この原反ロール２５から複合シート材１３を繰り出して、その縦送り工程Ａで複合シート材１３の主シート材１９側で且つ捲回始端部１３ｂ側となる幅方向の一方側の所定位置に、積層体１の上側に対応するように所定間隔で補強フィルム１０を接着、その他の方法で貼着する。
　複合シート材１３が縦送り工程Ａから横送り工程Ｂに入った後、位置Ｃにおいてその防水皮膜２０側に補強フィルム１０と相対応するように保形板８を供給してセットし、図８に示す如く保形板８、複合シート材１３及び補強フィルム１０に亘って上下に貫通するように長孔を穿孔して、複合シート材１３に取り出し口５、保形板８に開口部７、補強フィルム１０に開口孔２４を夫々開ける。
　なお、保形板８を複合シート材１３の防水皮膜２０側にセットしたときに、この保形板８が複合シート材１３上で移動しないように、保形板８を複合シート材１３上に接着剤等で仮止めしても良い。
　【００１５】
　次に位置Ｄにおいて保形板８を覆うように複合シート材１３上に保護フィルム９を供給して、図８に示す如く保護フィルム９を複合シート材１３の防水皮膜２０に熱接着、その他の適宜方法で固着して、この保護フィルム９と複合シート材１３とによって保形板８が動かないか又は動き難くなるように保形板８を保持する。
　なお、保護フィルム９を複合シート材１３に接着等で固着する場合、保護フィルム９を保形板８の表面側に密着させることが望ましい。また保護フィルム９には、その固着後に取り出し孔２１を形成しても良いし、予め取り出し孔２１を形成した保護フィルム９を複合シート材１３上に供給して固着する方法を採っても良い。
　また保形板８の供給と相前後する位置Ｄにおいて、複合シート材１３を積層体１に捲回したときに、その積層体１の上側で捲回始端部１３ｂ側に重なる重合部１６側の防水皮膜２０上に粘着剤１１を塗布する。そして、この粘着剤１１の塗布後に、位置Ｆにおいて複合シート材１３の重合部１６の端縁側を適宜間隔で凹入状に切り欠いて摘まみ部１８を形成し、その摘まみ部１８の両側にカバーシート１２用の一対の破断線１７を入れる。
　なお、重合部１６に予め粘着剤１１が塗布された複合シート材１３を使用しても良い。この場合には、製袋工程で粘着剤１１を塗布する煩わしさがなく、製袋作業を容易且つ迅速に行うことができ、製袋の高速化を図ることができる。
　【００１６】
　一方、複合シート材１３に保形板８をセットして穿孔する工程に相前後する位置Ｇにおいて、複合シート材１３の防水皮膜２０上の所定位置にウエットシート２の積層体１を供給する。そして、積層体１の供給、保護フィルム９の固着が終わった後に、積層体１を供給した複合シート材１３を送りながら、複合シート材１３の保護フィルム９の捲回始端部１３ｂ側を積層体１の上側に案内し、その捲回始端部１３ｂの上側に複合シート材１３の反対側の捲回終端部１３ａ側を重ねて、保護フィルム９、保形板８及び補強フィルム１０が積層体１の上側になるように、複合シート材１３で積層体１を包み込み、その重合部１６を粘着剤１１を介して複合シート材１３の捲回始端部１３ｂ側の上に貼着する。このとき、複合シート材１３の重合部１６の内、一対の破断線１７間のカバーシート１２となる部分は、その粘着剤１１を介して補強フィルム１０上に貼着する。
　【００１７】
　積層体１の上面部４上で複合シート材１３の捲回始端部１３ｂ上に捲回終端部１３ａ側を貼着すると、複合シート材１３は積層体１に捲回した状態で筒状になる。そして、複合シート材１３を筒状にした状態で積層体１と複合シート材１３とを一体に送り、各積層体１の長手方向の両側にガゼット部１４を形成しながら、各積層体１の両側で複合シート材１３を溶着し切断して圧着部１５を形成し、積層体１を密封上に収納した状態の収納袋３を製袋する。
　収納袋３に収納されたウエットシート２を取り出して使用する場合には、カバーシート１２の摘まみ部１８側を指先で把持してカバーシート１２をその基部側に向かって引っ張ると、図５及び図６に示すように、カバーシート１２の両側が破断線１７の部分で破断しながら、粘着剤１１を介して補強フィルム１０上に貼着状態のカバーシート１２が剥離するので、これによって袋本体６の取り出し口５側が露出し開封できる。
　【００１８】
　次に補強フィルム１０の開口孔２４、保形板８の開口部７を経て袋本体６の取り出し口５内に指先を挿入し、保護フィルム９の切断線２２の部分を両側に広げて、ウエットシート２の先端側を摘んで図６に示すように取り出し孔２１から引き出す。このとき先のウエットシート２を引き出せば、そのウエットシート２に後続のウエットシート２の端縁が連係しているので、後続のウエットシート２が続いて取り出し孔２１側に出てくる。
　しかし、保護フィルム９の取り出し孔２１は袋本体６の取り出し口５等に比較して小さくなっており、この保護フィルム９で後続のウエットシート２に抵抗がかかるため、後続のウエットシート２の先端側が取り出し孔２１から上側に出た時点で、先のウエットシート２と後続のウエットシート２とが分離し、先のウエットシート２の１枚のみを取り出すことができる。
　【００１９】
　ウエットシート２を取り出した後は、カバーシート１２を粘着剤１１を介して袋本体６の正面部側の補強フィルム１０上に再度貼着すれば良く、これで袋本体６の取り出し口５側をカバーシート１２によって再度密封することができる。
　この実施形態の収納袋３を使用すれば、次のような利点がある。
　即ち、天然材料を使用した主シート材１９、つまり天然繊維を主たる材料とした紙、不織布等の主シート材１９と、この主シート材１９の内側に合成樹脂製の防水皮膜２０とを備えた複合シート材１３を用い、この複合シート材１３で袋本体６及びカバーシート１２を構成すると共に、保形板８に天然繊維を主たる材料とした厚紙等を用いている。このため使用後の収納袋３を処分する場合、焼却処分又は廃棄処分の何れを採っても公害等の問題が発生し難くなり、容易に処分することができる。
　【００２０】
　例えば、袋本体６、カバーシート１２及び保形板８の主要な構成部分が天然材料でできているため、焼却処分する場合にも、従来の全体を合成樹脂材料で製造した収納袋３に比較して、焼却時に有毒ガスを発生することが少なくなり、また収納袋３を埋め立て地等に塵として廃棄処分する場合にも、収納袋３の主要な構成部分が比較的短期間で腐食又は分解し、長期間に亘ってそのままの状態で残ることがない。
　主シート材１９の内側には防水皮膜２０があり、また合成樹脂製の保護フィルム９及び補強フィルム１０を使用しているが、主シート材１９で収納袋３としての所定の強度を確保することによって、防水皮膜２０、保護フィルム９及び補強フィルム１０の厚さをその目的を損なわない範囲で薄く構成することが可能であり、合成樹脂材料の使用量を必要最小限度に止めることができる。従って、焼却時に有毒ガス等の発生量を従来に比較して極端に少なくでき、また土中等に埋め込んだ場合にも、防水皮膜２０等を短期間で劣化させることができる。
　【００２１】
　また袋本体６及びカバーシート１２に、天然繊維を主たる材料とした紙等の主シート材１９を使用しているが、その内側に合成樹脂製の防水皮膜２０があるため、この防水皮膜２０によって袋本体６及びカバーシート１２の防水性を確保でき、一定期間保管する間に、ウエットシート２の水分が主シート材１９側に浸透して主シート材１９が損傷したり、ウエットシート２の水分が抜けてウエットシート２が乾燥したりするようなことがない。従って、袋本体６及びカバーシート１２に、天然繊維を主たる材料とした紙等を使用しても、これによって別段、問題が生じることもない。
　しかも主シート材１９に合成樹脂製の防水皮膜２０を設けているので、主シート材１９に天然繊維を主たる材料とした紙等を使用しているにも拘わらず、収納袋３を製袋するときに、この合成樹脂製の防水皮膜２０を利用して保護フィルム９を熱溶着等により容易に固着できると共に、袋本体６の両端部を熱溶着等により容易に密封でき、製袋作業を容易に行える利点がある。
　【００２２】
　袋本体６の主シート材１９に紙等を使用した場合、従来の合成樹脂製のシート材を使用した場合に比較して主シート材１９の外側の平滑度が悪く、しかも主シート材１９側の繊維がカバーシート１２の粘着剤１１側に付着し易くなる等によって、カバーシート１２の粘着剤１１の粘着力が低下し、カバーシート１２を貼着して取り出し口５を封止したときの密封性が低下することになる。
　しかし、袋本体６の取り出し口５側の外側に補強フィルム１０があり、この補強フィルム１０に粘着剤１１を介してカバーシート１２を貼着するようにしているため、カバーシート１２によって袋本体６の取り出し口５側を確実に密封してウエットシート２の乾燥を防止でき、また多数回に亘ってカバーシート１２を開閉したときにも、その密封性の低下を極力防止できる。
　【００２３】
　また袋本体６の取り出し口５側には、その取り出し口５に対応する開口部７を有する保形板８があるため、この保形板８によって製袋時に袋本体６の取り出し口５側を平坦状に保形できる。このためカバーシート１２を開閉するときに、袋本体６の取り出し口５の周辺部分に皺ができ難くなり、カバーシート１２を袋本体６の取り出し口５側に確実に貼着することができる。
　しかも、保形板８に天然材料からなる厚紙等を使用しているが、この保形板８を内側から覆うように保護フィルム９を設けているので、ウエットシート２の水分による保形板８の損傷、劣化等を未然に防止できる。特に保護フィルム９の取り出し孔２１は、ウエットシート２を取り出すときに、後続のウエットシート２に抵抗を付与するように、保形板８の開口部７よりも小さくしているので、この保形板８の開口部７をウエットシート２が通過するときに、そのウエットシート２が保形板８側に接触して、その水分によって保形板８が損傷することも極力少なくできる。
　【００２４】
　更に天然材料の厚紙等を使用した保形板８を用い、これを保護フィルム９で覆って袋本体６の取り出し口５側に設けているので、従来の口部材と開閉蓋とを一体に成形した合成樹脂製の成形品を使用する場合に比較して、構造が簡単で安価に製作でき、またカバーシート１２を使用して密封でき、袋本体６の取り出し口５側の嵩張り等を少なくでき小型化できる。この他、ウエットシート２の積層体１を収納して収納袋３を製袋する製袋工程において、袋本体６を構成する複合シート材１３に保護フィルム９により保形板８を取り付けることができ、製袋工程を簡素化することが可能である。
　更に主シート材１９の内側の防水皮膜２０は、ポリオレフィン系の溶融樹脂をコーティングするか、又はポリオレフィン系の合成樹脂フィルムをラミネート等で貼着することによって形成しているため、天然繊維を主たる材料とした紙等からなる主シート材１９の内側に防水皮膜２０を容易に形成でき、袋本体６等に使用する複合シート材１３を容易且つ安価に製作できる。
　【００２５】
　図９及び図１０は本発明の第２の実施形態を例示する。
　この収納袋３は、袋本体６の側面部の下部側で複合シート材１３の捲回始端部１３ｂ側と捲回終端部１３ａ側とを粘着剤１１を介して貼着し、その捲回終端部１３ａ側を袋本体６の外側に重ねた状態で側面部側から上面部４側へと延ばす一方、袋本体６の側面部から上面部４に跨がって取り出し口５用の破断線２６を形成し、複合シート材１３の取り出し口５の両側に、カバーシート１２用の一対の破断線１７を設けておき、カバーシート１２を袋本体６から剥離したときに取り出し口５用の破断線２６が破断して袋本体６に取り出し口５ができ、その取り出し口５に対応する切除片２７がカバーシート１２側に付着するようにしたものである。
　このような収納袋３の場合にも、主シート材１９が吸水性の少ない洋紙等を使用するか、又は主シート材１９の取り出し口５の周辺部分に撥水処理を施した洋紙等を使用すれば、第１の実施形態と同様に主シート材１９と防水皮膜２０とを備えた複合シート材１３を使用することが可能である。
　【００２６】
　袋本体６に取り出し口５用のミシン目等の破断線２６があっても、外側に防水皮膜２０を持ったカバーシート１２があるので、ウエットシート２の水分が比較的に少ない場合には、カバーシート１２の主シート材１９側まで浸透することはない。従って、ウエットシート２を一度に多量に使用する等、開封後に短期間で使用し尽すようなウエットシート２の場合には便利である。
　但し、この場合には、袋本体６の主シート材１９の外側に補強フィルム１０がないので、主シート材１９にはある程度の保形性があり、表面の平滑度の良いものを使用する必要がある。
　【００２７】
　以上、本発明の各実施形態について詳述したが、本発明はこの実施形態に限定されるものではない。
　例えば、主シート材１９に、表面の平滑度の良い紙等を使用した場合には、袋本体６の取り出し口５側に貼着する補強フィルム１０を省略することもできる。
　また実施形態では、袋本体６とカバーシート１２とを一体に設けているが、袋本体６とカバーシート１２とを別々に構成し、袋本体６の取り出し口５側に外側からカバーシート１２を貼着しても良い。
　実施形態のように袋本体６側を複合シート材１３により構成し、カバーシート１２には従来と同様の合成樹脂製のシート材を使用しても良い。
　複合シート材１３の主シート材１９は、天然材料から得た天然繊維を主たる材料としたものであれば良く、洋紙、和紙、不織布等が一般的であるが、その天然材料には木材等の植物性材料の他、動物性材料を使用することも可能である。
　【００２８】
　また防水皮膜２０に使用する合成樹脂材料は、ポリオレフィン系に限定されるものではなく、他の合成樹脂材料を使用することも可能である。しかし、収納袋３を焼却処分する場合には、その焼却時に有毒ガス等が発生し難く、また燃焼温度の極力低い材料を選択することが望ましい。これは、保護フィルム９及び補強フィルム１０についても同じである。
　更に実施形態では、袋本体６の取り出し口５にカバーシート１２を開閉自在に貼着し、このカバーシート１２で開閉蓋を構成しているが、袋本体６に、取り出し口５を有する合成樹脂製の口部材を固着し、この口部材に合成樹脂製の開閉蓋を設けても良い。但し、その口部材は、収納袋３を処分するときに袋本体６から容易に分離できる構造にすることが望ましい。
　【００２９】
　また本発明では、収納袋３の形状、構造、特にその取り出し口５側の開閉蓋構造は、別段問題ではなく、種々のものを採用することが可能である。
　収納袋３を収納するウエットシート２は、ウエットタオル、ウエットティッシュ等の他、水分を含有したものであれば十分である。
　各ウエットシート２は、必ずしも連係させる必要はないが、相互に連係させる場合には、上下の各ウエットシート２の端部同士を重ね合わせる構造の他に、ウエットシート用の原反に、単位長さの各ウエットシート２毎に切断可能なミシン目等を設けても良い。
　複合シート材１３の主シート材１９の外側には、その全体に亘るか、又は部分的に適当な印刷を施しても良い。
　【００３０】
　【発明の効果】
　本発明では、ウエットシート２を収納する袋本体６と、この袋本体６に形成されたウエットシート２の取り出し口５と、この取り出し口５を開閉自在に密閉状に塞ぐ開閉蓋１２とを備えたウエットシート用収納袋において、天然材料を主たる材料とした主シート材１９と、この主シート材１９の内側に形成された合成樹脂製の防水皮膜２０とを備えた複合シート材１３により袋本体６を構成しているので、使用後は容易に焼却処理又は廃棄処理でき、公害問題を招くことなく安全に使用でき、しかも内部のウエットシート２の乾燥等を容易且つ確実に防止できる利点がある。
　また袋本体６の外側に合成樹脂製の補強フィルム１０を設けて、この補強フィルム１０に粘着剤１１を介して開閉蓋１２を貼着するようにしているため、開閉蓋１２によって袋本体６の取り出し口５側を確実に密封してウエットシート２の乾燥を防止でき、多数回に亘って開閉蓋１２を開閉するときにも、その密封性の低下を極力防止できる。
　しかも袋本体６の内側に、天然材料
の厚紙
　更に保形板８に天然材料
の厚紙
、この保護フィルム９を保形板８の外側で防水皮膜２０に固着して保形板８を袋本体６の内側に固定し、ウエットシート２を取り出すときに、後続のウエットシート２に抵抗を付与して後続のウエットシート２が若干突出するように、保護フィルム９の取り出し口２１を袋本体６の取り出し口５及び保形板８の開口部７よりも小さくし
　また袋本体６の一部を切除して取り出し口５を形成しているので、従来の口部材と開閉蓋とを一体に成形した合成樹脂製の成形品を使用する場合に比較して、構造が簡単で安価に製作できる。
　取り出し口５を塞ぐ開閉蓋１２を、天然材料を使用した主シート材１９と、この主シート材１９の内側に形成された防水皮膜２０とを備えた複合シート材１３からなるカバーシートにより構成しているので、取り出し口５側の嵩張り等がなく、また使用後は袋本体６と一緒にカバーシート１２を容易に焼却処理又は廃棄処理できる。
【図面の簡単な説明】
　【図１】
　本発明の第１の実施形態を示す収納袋の封止状態の斜視図である。
　【図２】
　本発明の第１の実施形態を示す収納袋の封止状態の断面図である。
　【図３】
　本発明の第１の実施形態を示す収納袋の封止状態の断面図である。
　【図４】
　本発明の第１の実施形態を示す収納袋の要部の拡大断面図である。
　【図５】
　本発明の第１の実施形態を示す収納袋の開封状態の斜視図である。
　【図６】
　本発明の第１の実施形態を示す収納袋の開封状態の断面図である。
　【図７】
　本発明の第１の実施形態を示す製袋工程図である。
　【図８】
　本発明の第１の実施形態を示す製袋工程の拡大斜視図である。
　【図９】
　本発明の第２の実施形態を示す収納袋の封止状態の斜視図である。
　【図１０】
　本発明の第２の実施形態を示す収納袋の開封状態の断面図である。
　【符合の説明】
　１　　積層体
　２　　ウエットシート
　５　　取り出し口
　６　　袋本体
　１２　カバーシート（開閉蓋）
　１９　主シート材
　２０　防水皮膜